(57)【特許請求の範囲】
【請求項１】
開口部に弾性シートを張設した基板を有する椅子部材において、上記基板は平板状に形成され、該基板の開口部の周縁には、弾性シートが開口部内に凹むとき該弾性シートに沿って周縁がたわむよう易可撓性区帯が形成され、該易可撓性区帯は基体本体から開口部の中心方向に延びる放射枠部と、基体本体との間に間隔を空けて該放射枠部の先端を連絡する環状枠部により形成される長溝状のスリットで形成され、この基板の上面に易可撓性区帯を覆う状態で弾性シートを射出成形により基体本体と一体的に固着したことを特徴とする弾性シートを有する椅子部材。
【請求項２】
上記弾性シートは基板全体の大きさよりも小さい請求項１に記載の椅子部材。
【請求項３】
上記請求項１又は２に記載の椅子部材を有する椅子。
【発明の詳細な説明】
【技術分野】
【０００１】
本発明は、弾性シートを有する椅子の座部等の椅子部材及びそれを用いた椅子に関する。
【背景技術】
【０００２】
オフィスやホール、集会場などで利用される椅子には、背部や座部にクッション性を設けた構造が多いが、このクッション部材として、開口部を有する枠体を構成し、その開口部に弾力性のある弾性シートを張設した椅子が知られている（例えば特許文献１参照）。このような弾性シートを張設した椅子の座部等は、軽快感があり、快適な座り心地を実現することができるが、着座した際、枠体の開口部の周縁に沿ってシートが凹むので、開口部の周縁が身体に当り、不快感を与えることがある。また、枠体の表面から裏面まで回りこむような大きさの弾性シートを必要とするので、シート材料が無駄になり、その上、枠体の周縁部で弾性シートが屈曲するので、いつも同じ箇所が引っ張られ、屈曲部に当るシート部分が破損しやすい、というおそれがあった。
【先行技術文献】
【特許文献】
【０００３】
【特許文献１】実公平８−８６７３号公報（請求項１、図１〜図３）
【発明の概要】
【発明が解決しようとする課題】
【０００４】
本発明の解決課題は、枠体の開口部に弾性シートを張設して構成された座部や背部等の椅子部材において、着座した際に身体に違和感を与えることがなく、軽くて弾力性のある座面等が得られ、弾性シートに無駄がなく、損傷や劣化しにくい椅子部材を提供することである。
【課題を解決するための手段】
【０００５】
本発明によれば、開口部に弾性シートを張設した基板を有する椅子部材において、上記基板は平板状に形成され、該基板の開口部の周縁には、弾性シートが開口部内に凹むとき該弾性シートに沿ってたわむよう易可撓性区帯が形成され、この基板の上面に弾性シートを一体的に固着したことを特徴とする弾性シートを有する椅子部材が提供され、上記課題が解決される。
【０００６】
また、本発明によれば、上記易可撓性区帯として、基板本体の周縁に沿って長溝状のスリットを形成し、上面に弾性シートを一体的に固着し椅子部材が提供され、上記課題が解決される。
【発明の効果】
【０００７】
本発明は、上記のように構成され、基板を平板状に形成し、該基板の開口部の周縁に弾性シートが開口部内に凹むとき該弾性シートに沿って周縁部がたわむよう易可撓性区帯を形成し、この基板の上面に弾性シートを一体的に固着したから、この基板を用いて座部や背部を構成すると、着座したとき、易可撓性区帯が緩やかにたわんで身体の一部が開口部の周縁部に強く当らないようにでき、座り心地がよく、また周縁部に接する部分が緩やかに伸長するので、弾性シートの損傷の少なく、軽くて弾力性のある座部、背部等の椅子部材が得られる。その上、弾性シートを一体成形で基板に固着するから、弾性シート材料は易可撓性区帯を覆う大きさがあれば充分であり、材料に無駄がない。
【図面の簡単な説明】
【０００８】
【図１】本発明の一実施例を示す斜視図。
【図２】底面から見た一部の斜視図。
【図３】表装材等を外して座部の基板を平面から見た一部の斜視図。
【図４】弾性シートを省略した座部の基板の平面図。
【図５】弾性シートを省略した座部の基板の底面図。
【図６】椅子の座部の一部の拡大断面図。
【発明を実施するための形態】
【０００９】
図１は本発明の一実施例を示す椅子の斜視図であって、前脚２、後脚３、背枠４を具備する脚フレーム１には、座部５、背部６が設けられ、所望により肘掛部（図示略）も設けられる。
【００１０】
図２、図３には、上記表装材７等を外した座部５を構成する基板８が示されている。該基板８は種々の形態に形成することができ、図に示す実施例では、前方に下方に屈曲する前面部９を有する略四角形状の基板本体１０が形成され、適宜位置には取付ねじ１１で座部５を脚フレーム１に取り付けるためのナット１２をかしめる取付部１３があり、中央部には略四角形状の開口部１４が設けられ、上面には開口部１４を覆う大きさの弾性シート１５が張設されている。そして、上記基板本体１０はプラスチック材料で厚さ約２.５〜５ｍｍ程度、好ましくは約３ｍｍ程度の平板状に形成され、開口部１４の周縁には、弾性シート１５が上面の作用する負荷により開口部１４内に凹むとき該弾性シートに沿ってたわむよう易可撓性区帯１６が形成されている。
【００１１】
上記易可撓性区帯１６は、種々に構成することができる。図４、図５に示す実施例では、開口部１４の周縁に沿って長溝状のスリット１７を形成して易可撓性区帯を構成している。このスリット１７は、基板本体１０から開口部の中心方向に延びる放射枠部１８と、基板本体１０との間に間隔を空けて該放射枠部１８の先端を連絡する環状枠部１９により形成され、図に示す実施例では座部の前方に位置する部分の可撓性を大きくするよう環状枠部１９に沿って内方枠部２０を並列して設け、スリット１７が複数列並ぶようにしてある。
【００１２】
上記スリットの数、形状等は目的とする椅子に応じて適宜に選定することができ、例えば単なる孔形状の空間を形成してもよい（図示略）。
【００１３】
上記弾性シート１５としては、ポリエステルの糸を伸縮性に富むように織った組織の伸縮可能な布バネを用いているが、適度の弾性作用を生じるようポリエステル弾性糸とポリエステル等で織成したメッシュ状の織布やその他適宜の弾力性のあるシート材料が好適に使用でき、その大きさは開口部周縁の易可撓性区帯１６を覆うことができる程度の大きさ、例えば、図に示すものでは、約３２０ｍｍ×３６０ｍｍ程度の大きさに形成される。なお、基板８の材質としては、図に示す実施例では成形時にこの弾性シートが一体的に溶着されるようポリエステルを用いているが、弾性シートの材質に応じて適宜の材料を選択することができる。
【００１４】
上記弾性シート１５と基板８を一体的に固定するには、射出成形する際、スリット１７に対応する部位を成形する一方の金型部分にピンを突設し、このピンに基板全体の大きさよりも小さい弾性シート１５の周縁を突き刺して該金型に固定し、金型を閉じた状態で金型キャビティー内に溶融樹脂材料を射出すれば、弾性シート１５は上記易可撓性区帯１６を覆う状態で基板本体１０と一体化する。
【００１５】
その後、この基板８の上面に、ウレタンフォーム等のクッション材２１と布、レザー等の表装材７を被せ、該表装材７の周縁部を基板８の裏面に回してタッカー針２２等で固定すれば、座部、背部等の椅子部材が完成する。
【００１６】
上記ように構成された座部５は、着座すると、図６に示すように易可撓性区帯１６が座面に作用する負荷により弾性シート１５に沿って緩やかに湾曲するから、従来のように枠体の開口部の周縁が身体の一部に当るおそれもなく、かつこの易可撓性区帯１６からの弾性作用を伴う適度のたわみにより座り心地がよい。また、従来のように弾性シートが開口部の周縁部に強く当らないから、損傷が防止される。
【符号の説明】
【００１７】
１    脚フレーム
５    座部
６    背部
８    基板
１０  基板本体
１４  開口部
１５  弾性シート
１６  易可撓性区帯
１７  スリット 
【図１】
0005597110.tif 000002
【図２】
0005597110.tif 000003
【図３】
0005597110.tif 000004
【図４】
0005597110.tif 000005
【図５】
0005597110.tif 000006
【図６】
0005597110.tif 000007